(57)【要約】【課題】複数の情報端末を包含するグループ内で情報端末に双方向にデータ通信する双方向データ通信システムを提供すること。【解決手段】情報端末からの送信データを受信し、グループ内で共有する共有データを複数の情報端末に送信する送受信手段と、送受信手段が受信した送信データを記憶する記憶手段と、記憶手段が記憶した送信データに基づいて共有データを生成するデータ生成手段と、データ生成手段が生成した共有データを情報端末に送信する制御手段とを有し、データ生成手段は、送信データを受信する際に端末ＩＤに基づいてグループＩＤを選定し、選定したグループＩＤに基づいてグループを特定し、特定したグループで共有する共有データを生成し、制御手段は特定したグループ内の複数の情報端末のみに共有データを送信する。【選択図】図１
2016024745.tif 000002
【特許請求の範囲】
【請求項１】
複数の情報端末を包含するグループ内で前記情報端末に双方向にデータ通信する双方向データ通信システムであって、
前記情報端末からの送信データを受信し、前記グループ内で共有する共有データを複数の前記情報端末に送信する送受信手段と、
前記送受信手段が受信した前記送信データを記憶する記憶手段と、
前記記憶手段が記憶した前記送信データに基づいて、前記共有データを生成するデータ生成手段と、
前記送受信手段を用いて、前記データ生成手段が生成した前記共有データを前記情報端末に送信する制御手段と
を有し、
前記送受信手段は、前記情報端末から前記送信データを受信するときに、該情報端末を特定する端末ＩＤを受信し、
前記記憶手段は、複数のグループにおいて各グループに対応するグループＩＤを予め記憶し、各グループに属する複数の前記情報端末の複数の前記端末ＩＤを前記グループＩＤに対応付けてそれぞれ記憶し、且つ、前記端末ＩＤに対応付けて前記送受信手段が受信した前記送信データを記憶し、
前記データ生成手段は、前記送信データを受信する際に前記端末ＩＤに基づいて前記グループＩＤを選定し、選定した前記グループＩＤに基づいて該送信データを送信した前記グループを特定し、特定した該グループで共有する前記共有データを生成し、
前記制御手段は、前記データ生成手段が生成した前記共有データを送信する際に、前記データ生成手段が前記グループＩＤに基づいて特定した該グループ内の複数の前記情報端末のみに該共有データを送信する、
ことを特徴とする双方向データ通信システム。
【請求項２】
前記共有データは、文字データ、画像データ、音声データ又は動画データであり、
前記記憶手段は、前記グループＩＤに対応付けて、複数のグループにおいてそれぞれのグループにのみで共有する共有情報を予め記憶し、
前記データ生成手段は、前記共有情報を更に用いて、前記送信データに基づいて、文字データ、画像データ、音声データ又は動画データの前記共有データを生成する、  
ことを特徴とする、請求項１に記載の双方向データ通信システム。
【請求項３】
請求項１又は請求項２に記載の双方向データ通信システムと、前記情報端末が送信した前記送信データに基づいて勝敗を判定する第２の制御手段とを含むスポーツ支援システムであって、
前記第２の制御手段は、前記送信データが所定のデータであるか否かを判断し、前記送信データが前記所定のデータである場合に該送信データを送信した前記情報端末の前記端末ＩＤに対応する前記グループＩＤに基づいて、該情報端末の属するグループの勝敗を判定する、
ことを特徴とするスポーツ支援システム。
【請求項４】
前記第２の制御手段は、前記情報端末が送信した前記送信データを用いて、複数のグループにおいて各グループの得点を集計する、
ことを特徴とする、請求項３に記載のスポーツ支援システム。
【請求項５】
請求項３又は請求項４に記載のスポーツ支援システムと、研修結果を評価する課題評価手段とを含む研修支援システムであって、
前記情報端末は、他の情報端末及び課題目標物を検出する検出手段と、前記共有データを表示する表示手段とを更に備え、前記検出手段が前記他の情報端末又は前記課題目標物を検出したときに検出結果を前記送受信手段に送信し、
前記検出手段は、前記検出結果として、文字データ、画像データ、音声データ又は動画データを検出し、
前記制御手段は、前記検出結果として前記他の情報端末を検出した結果を前記送受信手段が受信したときに前記共有データを該他の情報端末に送信することを停止し、前記検出結果として前記課題目標物を検出した結果を前記送受信手段が受信したときに前記課題目標物を検出した結果を前記課題評価手段に送信し、
前記課題評価手段は、前記課題目標物を検出した結果を受信したときに、該課題目標物を検出した前記情報端末の前記端末ＩＤに対応する前記グループＩＤに基づいて、該課題目標物を検出した該情報端末の属するグループが課題を達成したと評価する、
ことを特徴とする研修支援システム。
【請求項６】
複数の情報端末を包含するグループ内で前記情報端末に双方向にデータ通信する双方向データ通信システムと、前記情報端末が送信した送信データに基づいて勝敗を判定する第２の制御手段とを用いて、複数のグループにおいて各グループの得点を集計するスポーツ支援方法であって、
前記双方向データ通信システムは、前記情報端末からの前記送信データを受信し、該情報端末に共有データを送信する送受信手段と、前記送受信手段が受信した前記送信データを記憶する記憶手段と、前記記憶手段が記憶した前記送信データに基づいて前記情報端末に送信する前記共有データを生成するデータ生成手段と、前記送受信手段を用いて前記データ生成手段が生成した前記共有データを前記情報端末に送信する制御手段とを有し、  
前記記憶手段を用いて、複数のグループにおいて各グループに対応するグループＩＤを記憶し、各グループに属する複数の前記情報端末の複数の前記端末ＩＤを前記グループＩＤに対応付けてそれぞれ記憶し、その後スポーツを開始する開始ステップと、
前記送受信手段を用いて、前記情報端末から前記送信データを受信し、且つ、該情報端末を特定する端末ＩＤを受信する受信ステップと、
前記記憶手段を用いて、前記受信ステップで受信した前記送信データを前記端末ＩＤに対応付けて記憶する記憶ステップと、
前記データ生成手段を用いて、前記送信データを受信するときに前記端末ＩＤに基づいて前記グループＩＤを選定し、選定した前記グループＩＤに基づいて該送信データを送信した前記グループを特定し、特定した該グループで共有する前記共有データを生成する生成ステップと、
前記制御手段を用いて、前記生成ステップで生成した前記共有データを送信する際に、前記データ生成手段が選定した前記グループＩＤに基づいて、前記データ生成手段が特定した該グループ内の複数の前記情報端末のみに該共有データを送信する共有ステップと、
前記第２の制御手段を用いて、前記情報端末が送信した前記送信データに基づいて、複数のグループにおいて各グループの得点を集計する集計ステップと、
前記第２の制御手段を用いて、前記送信データが所定のデータであるか否かを判断し、前記送信データが前記所定のデータである場合に該送信データを送信した前記情報端末の前記端末ＩＤに対応する前記グループＩＤに基づいて、該情報端末の属するグループの勝敗を判定する勝敗判定ステップと、
を含む、ことを特徴とするスポーツ支援方法。
【請求項７】
請求項６に記載のスポーツ支援方法を用いて研修を実施し、実施中の検出結果に基づいて研修を評価する課題評価手段を用いて研修を支援する研修支援方法であって、
前記情報端末は、他の情報端末及び課題目標物を検出する検出手段と前記共有データを表示する表示手段とを更に備え、
前記検出手段を用いて前記他の情報端末又は前記課題目標物を検出したときに、前記送受信手段を用いて検出結果を受信する検出結果受信ステップと、
前記検出結果受信ステップで前記他の情報端末を検出した結果を受信したときに、前記制御手段を用いて前記共有データを該他の情報端末に送信することを停止する送信停止ステップと、
前記検出結果受信ステップで前記課題目標物を検出した結果を受信したときに、前記課題目標物を検出した結果を前記課題評価手段に送信する課題送信ステップと、
前記課題送信ステップで前記課題評価手段が前記課題目標物を検出した結果を受信したときに、前記検出結果受信ステップで前記課題目標物を検出した前記情報端末の前記端末ＩＤに対応する前記グループＩＤに基づいて、該課題目標物を検出した該情報端末の属するグループが課題を達成したと評価する研修評価ステップと、
を含む、ことを特徴とする研修支援方法。
【請求項８】
請求項７に記載の研修支援方法を含む研修方法であって、
戦略を決定し、決定した前記戦略に基づいて戦術を立案する研修開始ステップを更に含み、
前記生成ステップは、前記研修開始ステップで立案した前記戦術及び／又は前記検出結果受信ステップで受信した前記検出結果を更に用いて、生成した前記共有データを更新し、
前記共有ステップは、前記生成ステップで更新した前記共有データを前記情報端末に更に送信し、
前記研修評価ステップは、少なくとも前記研修開始ステップで立案した戦術及び前記検出手段で検出した検出結果に基づいて、研修結果を評価する、
ことを特徴とする研修方法。
【請求項９】
請求項６に記載のスポーツ支援方法、請求項７に記載の研修支援方法又は請求項８に記載の研修方法をコンピュータに実行させるためのプログラム。
【請求項１０】
請求項９に記載のプログラムを記録したコンピュータ読み取り可能な記録媒体。
【発明の詳細な説明】
【技術分野】
【０００１】
本発明は、複数の情報端末を包含するグループ内で情報端末に双方向にデータ通信する双方向データ通信システムに関する。また、本発明は、その双方向データ通信システムを用いたスポーツ支援システム若しくは研修支援システム、又は、スポーツ支援方法、研修支援方法若しくは研修方法に関するものであってもよい。
【背景技術】
【０００２】
特許文献１では、双方向データ通信システムとして、データ放送番組ごとに指定されたコンテンツＩＤとコンテンツＩＤに対応する双方向サービスＩＤを発番し、データ放送送出装置から指定されたコンテンツＩＤに対応するオンエア情報を収集し、データ放送双方向サーバ装置を用いて双方向サービス利用情報及び双方向サービスＩＤに基づいて双方向サービスを提供する技術を開示している。
【先行技術文献】
【特許文献】
【０００３】
【特許文献１】特開２００８−７８９１９号公報
【発明の概要】
【発明が解決しようとする課題】
【０００４】
しかしながら、特許文献１に開示されている技術では、複数の情報端末を包含するグループ内で情報端末に双方向にデータ通信する場合に、グループ内で共有する共有データを複数の情報端末に送信することができない場合がある。また、特許文献１には、複数のグループにおいて各グループ内で双方向にデータ通信する場合に、特定のグループ内の複数の情報端末のみに共有データを送信する技術が記載されていない。更に、特許文献１には、複数のグループにおいて、特定のグループ内の複数の情報端末のみに共有データを送信するシステムを用いたスポーツを支援するスポーツ支援方法、研修を支援する研修支援方法、又は、研修方法に関する技術が記載されていない。
【０００５】
本発明は、複数の情報端末を包含するグループ内で情報端末に双方向にデータ通信することができる双方向データ通信システム又はその双方向データ通信システムを用いたスポーツ支援システム、研修支援システム、スポーツ支援方法、研修支援方法若しくは研修方法を提供することを目的とする。
【課題を解決するための手段】
【０００６】
上記課題を解決するために、本発明の一つの実施形態は、複数の情報端末を包含するグループ内で前記情報端末に双方向にデータ通信する双方向データ通信システムであって、前記情報端末からの送信データを受信し、前記グループ内で共有する共有データを複数の前記情報端末に送信する送受信手段と、前記送受信手段が受信した前記送信データを記憶する記憶手段と、前記記憶手段が記憶した前記送信データに基づいて、前記共有データを生成するデータ生成手段と、前記送受信手段を用いて、前記データ生成手段が生成した前記共有データを前記情報端末に送信する制御手段と、を有し、前記送受信手段は、前記情報端末から前記送信データを受信するときに、該情報端末を特定する端末ＩＤを受信し、前記記憶手段は、複数のグループにおいて各グループに対応するグループＩＤを予め記憶し、各グループに属する複数の前記情報端末の複数の前記端末ＩＤを前記グループＩＤに対応付けてそれぞれ記憶し、且つ、前記端末ＩＤに対応付けて前記送受信手段が受信した前記送信データを記憶し、前記データ生成手段は、前記送信データを受信する際に前記端末ＩＤに基づいて前記グループＩＤを選定し、選定した前記グループＩＤに基づいて該送信データを送信した前記グループを特定し、特定した該グループで共有する前記共有データを生成し、前記制御手段は、前記データ生成手段が生成した前記共有データを送信する際に、前記データ生成手段が前記グループＩＤに基づいて特定した該グループ内の複数の前記情報端末のみに該共有データを送信する、ことを特徴とする双方向データ通信システムを提供する。また、前記共有データは、文字データ、画像データ、音声データ又は動画データであり、前記記憶手段は、前記グループＩＤに対応付けて、複数のグループにおいてそれぞれのグループにのみで共有する共有情報を予め記憶し、前記データ生成手段は、前記共有情報を更に用いて、前記送信データに基づいて、文字データ、画像データ、音声データ又は動画データの前記共有データを生成する、ことを特徴とする双方向データ通信システムであってもよい。
【０００７】
本発明の他の実施形態は、上記のいずれか一つの双方向データ通信システムと、前記情報端末が送信した前記送信データに基づいて勝敗を判定する第２の制御手段とを含むスポーツ支援システムであって、前記第２の制御手段は、前記送信データが所定のデータであるか否かを判断し、前記送信データが前記所定のデータである場合に該送信データを送信した前記情報端末の前記端末ＩＤに対応する前記グループＩＤに基づいて、該情報端末の属するグループの勝敗を判定する、ことを特徴とするスポーツ支援システムを提供する。また、前記第２の制御手段は、前記情報端末が送信した前記送信データを用いて、複数のグループにおいて各グループの得点を集計する、ことを特徴とするスポーツ支援システムであってもよい。
【０００８】
本発明の他の実施形態は、上記のいずれか一つのスポーツ支援システムと、研修結果を評価する課題評価手段とを含む研修支援システムであって、前記情報端末は、他の情報端末及び課題目標物を検出する検出手段と、前記共有データを表示する表示手段とを更に備え、前記検出手段が前記他の情報端末又は前記課題目標物を検出したときに検出結果を前記送受信手段に送信し、前記検出手段は、前記検出結果として、文字データ、画像データ、音声データ又は動画データを検出し、前記制御手段は、前記検出結果として前記他の情報端末を検出した結果を前記送受信手段が受信したときに前記共有データを該他の情報端末に送信することを停止し、前記検出結果として前記課題目標物を検出した結果を前記送受信手段が受信したときに前記課題目標物を検出した結果を前記課題評価手段に送信し、前記課題評価手段は、前記課題目標物を検出した結果を受信したときに、該課題目標物を検出した前記情報端末の前記端末ＩＤに対応する前記グループＩＤに基づいて、該課題目標物を検出した該情報端末の属するグループが課題を達成したと評価する、ことを特徴とする研修支援システムを提供する。
【０００９】
本発明の他の実施形態は、複数の情報端末を包含するグループ内で前記情報端末に双方向にデータ通信する双方向データ通信システムと、前記情報端末が送信した送信データに基づいて勝敗を判定する第２の制御手段とを用いて、複数のグループにおいて各グループの得点を集計するスポーツ支援方法であって、前記双方向データ通信システムは、前記情報端末からの前記送信データを受信し、該情報端末に共有データを送信する送受信手段と、前記送受信手段が受信した前記送信データを記憶する記憶手段と、前記記憶手段が記憶した前記送信データに基づいて前記情報端末に送信する前記共有データを生成するデータ生成手段と、前記送受信手段を用いて前記データ生成手段が生成した前記共有データを前記情報端末に送信する制御手段とを有し、前記記憶手段を用いて、複数のグループにおいて各グループに対応するグループＩＤを記憶し、各グループに属する複数の前記情報端末の複数の前記端末ＩＤを前記グループＩＤに対応付けてそれぞれ記憶し、その後スポーツを開始する開始ステップと、前記送受信手段を用いて、前記情報端末から前記送信データを受信し、且つ、該情報端末を特定する端末ＩＤを受信する受信ステップと、前記記憶手段を用いて、前記受信ステップで受信した前記送信データを前記端末ＩＤに対応付けて記憶する記憶ステップと、前記データ生成手段を用いて、前記送信データを受信するときに前記端末ＩＤに基づいて前記グループＩＤを選定し、選定した前記グループＩＤに基づいて該送信データを送信した前記グループを特定し、特定した該グループで共有する前記共有データを生成する生成ステップと、前記制御手段を用いて、前記生成ステップで生成した前記共有データを送信する際に、前記データ生成手段が選定した前記グループＩＤに基づいて、前記データ生成手段が特定した該グループ内の複数の前記情報端末のみに該共有データを送信する共有ステップと、前記第２の制御手段を用いて、前記情報端末が送信した前記送信データに基づいて、複数のグループにおいて各グループの得点を集計する集計ステップと、前記第２の制御手段を用いて、前記送信データが所定のデータであるか否かを判断し、前記送信データが前記所定のデータである場合に該送信データを送信した前記情報端末の前記端末ＩＤに対応する前記グループＩＤに基づいて、該情報端末の属するグループの勝敗を判定する勝敗判定ステップと、を含む、ことを特徴とするスポーツ支援方法を提供する。また、上記のスポーツ支援方法を用いて研修を実施し、実施中の検出結果に基づいて研修を評価する課題評価手段を用いて研修を支援する研修支援方法であって、前記情報端末は、他の情報端末及び課題目標物を検出する検出手段と前記共有データを表示する表示手段とを更に備え、前記検出手段を用いて前記他の情報端末又は前記課題目標物を検出したときに、前記送受信手段を用いて検出結果を受信する検出結果受信ステップと、前記検出結果受信ステップで前記他の情報端末を検出した結果を受信したときに、前記制御手段を用いて前記共有データを該他の情報端末に送信することを停止する送信停止ステップと、前記検出結果受信ステップで前記課題目標物を検出した結果を受信したときに、前記課題目標物を検出した結果を前記課題評価手段に送信する課題送信ステップと、前記課題送信ステップで前記課題評価手段が前記課題目標物を検出した結果を受信したときに、前記検出結果受信ステップで前記課題目標物を検出した前記情報端末の前記端末ＩＤに対応する前記グループＩＤに基づいて、該課題目標物を検出した該情報端末の属するグループが課題を達成したと評価する研修評価ステップと、を含む、ことを特徴とする研修支援方法であってもよい。また、上記の研修支援方法を含む研修方法であって、戦略を決定し、決定した前記戦略に基づいて戦術を立案する研修開始ステップを更に含み、前記生成ステップは、前記研修開始ステップで立案した前記戦術及び／又は前記検出結果受信ステップで受信した前記検出結果を更に用いて、生成した前記共有データを更新し、前記共有ステップは、前記生成ステップで更新した前記共有データを前記情報端末に更に送信し、前記研修評価ステップは、少なくとも前記研修開始ステップで立案した戦術及び前記検出手段で検出した検出結果に基づいて、研修結果を評価する、ことを特徴とする研修方法であってもよい。
【００１０】
また、本発明の他の実施形態は、上記のスポーツ支援方法、上記の研修支援方法又は上記の研修方法のいずれか一つをコンピュータに実行させるためのプログラムであってもよい。また、前記プログラムを記録したコンピュータ読み取り可能な記録媒体であってもよい。
【発明の効果】
【００１１】
本発明に係る双方向データ通信システム又はその双方向データ通信システムを用いたスポーツ支援システム、研修支援システム、スポーツ支援方法、研修支援方法若しくは研修方法によれば、複数の情報端末を包含するグループ内で情報端末に双方向にデータ通信することができる。
【図面の簡単な説明】
【００１２】
【図１】本発明の実施形態に係る双方向データ通信システムの一例を示す概略構成図である。
【図２】本発明の実施形態に係る双方向データ通信システムで用いるグループＩＤ及び端末ＩＤの一例を説明する説明図である。
【図３】本発明の実施形態に係る双方向データ通信システムで用いる送信データの一例を説明する説明図である。
【図４】本発明の実施形態に係る双方向データ通信システムで用いる共有データの一例を説明する説明図である。
【図５】本発明の実施形態に係る双方向データ通信システムの動作の一例を説明するフローチャート図である。
【図６】本発明の実施例１に係るスポーツ支援システムの一例を示す概略構成図である。
【図７】本発明の実施例１に係るスポーツ支援システムに用いるフィールドの一例を示す概略構成図である。
【図８】本発明の実施例１に係るスポーツ支援システムの動作の一例を説明するフローチャート図である。
【図９】本発明の実施例２に係る研修支援システムの一例を示す概略構成図である。
【図１０】本発明の実施例２に係る研修支援システムの検出手段の一例を説明する説明図である。
【図１１】本発明の実施例２に係る研修支援システムの表示手段の表示結果の一例を説明する説明図である。
【図１２】本発明の実施例２に係る研修支援システムの動作の一例を説明するフローチャート図である。
【図１３】本発明の実施例２に係る研修支援システムの課題目標物の一例を説明する説明図である。
【図１４】本発明の実施例３に係る研修システムの一例を示す概略構成図である。
【図１５】本発明の実施例３に係る研修システムの計画・実行・改善サイクルの一例を説明する説明図である。
【図１６】本発明の実施例３に係る研修システムの動作の一例を説明するフローチャート図である。
【発明を実施するための形態】
【００１３】
複数の情報端末を包含するグループ内で情報端末に双方向にデータ通信する実施形態に係る双方向データ通信システムの例を用いて、本発明を説明する。なお、本発明は、以下に説明する双方向データ通信システム以外でも、複数の端末から送信された情報（データ、電子データ、電子情報など）に基づいて情報（画像データ、文字データ、音声データ、動画データなど）を生成して、生成した情報を共有するもの（装置、機械、部品、システム、アプリケーションなど）であれば、いずれのものにも用いることができる。本発明は、例えば複数の情報端末を包含するグループ内で情報端末に双方向にデータ通信することができる双方向データ通信システムを用いたスポーツ支援システム、研修支援システム、スポーツ支援方法、研修支援方法若しくは研修方法に利用することができる。なお、本発明は、スタンドアロンの装置（専用装置等）であってもよいし、ネットワークを介して複数の端末と通信可能な装置（ＰＣ（Personal Computer）やサーバ等のコンピュータ）であってもよい。また、本発明は、１台のコンピュータに限定されることはなく、複数台のコンピュータ各々が必要なデータを記憶しながら、相互に連携するものであってもよい。
【００１４】
下記に示す順序で、本発明を説明する。
１．双方向データ通信システムの構成
２．双方向データ通信システムの動作
３．実施例
３−１  実施例１に係るスポーツ支援システム
３−２  実施例２に係る研修支援システム
３−３  実施例３に係る研修システム
（１．双方向データ通信システムの構成）
【００１５】
図１を用いて、本発明の実施形態に係る双方向データ通信システム１００の構成を説明する。ここで、図１は、本発明に係る双方向データ通信システムの一例を示す概略構成図である。なお、図１に示す双方向データ通信システムの構成は一例であり、本発明は図１に示す双方向データ通信システムに限定されるものではない。
【００１６】
図１に示すように、双方向データ通信システム１００は、双方向データ通信システム１００の全体の動作を制御する制御手段１０と、情報端末にデータを送受信する送受信手段１１と、送受信手段１１が受信したデータを記憶する記憶手段１２と、記憶手段１２が記憶したデータに基づいて複数の情報端末で共有するデータ（以下、共有データという）を生成するデータ生成手段１３と、を有する。
【００１７】
本発明に係る双方向データ通信システム１００は、複数の情報端末を包含するグループ内で情報端末に双方向にデータ通信するシステムである。双方向データ通信システム１００は、本実施形態では、データ生成手段１３を用いて記憶手段１２が記憶したデータに基づいて共有データを生成し、送受信手段１１を用いて共有データを複数の情報端末に送信して共有する。
【００１８】
なお、情報端末は、通信装置（ＬＡＮ、無線ＬＡＮ、インターネットなど）を介して、送受信手段１１（双方向データ通信システム１００）と情報の入出力を行うものであってもよい。また、情報端末は、例えばタブレット、スマートフォン、携帯端末、ノートＰＣなどであってもよい。ここで、通信装置は、例えばネットワークを介して他の装置とＩＰ（Internet Protocol）通信等を行う部分であり、例えば、ＮＩＣ（Network Interface Card）等によって実現される。
【００１９】
以下に、各構成を具体的に説明する。
【００２０】
制御手段１０は、双方向データ通信システム１００の各構成に動作を指示し、双方向データ通信システム１００の動作を制御する手段である。制御手段１０は、例えばＣＰＵ（Central Processing Unit）及びメモリで構成される演算装置を用いることができる。また、制御手段１０は、双方向データ通信システム１００に予め搭載されている演算装置、コントローラ又はその他制御手段を利用する構成であってもよい。なお、制御手段１０は、 例えば所定のメモリを介して各部間のデータの受け渡しを行うととともに、システム全体の制御を行い、例えばＣＰＵが所定のメモリに格納されたプログラムを実行することによって実現される。
【００２１】
送受信手段１１は、情報端末からの送信データを受信し、グループ内で共有する共有データを複数の情報端末に送信する手段である。送受信手段１１は、本実施形態では、情報端末から送信データを受信するときに、送信元の情報端末を特定する端末ＩＤを受信する。なお、送受信手段１１は、情報端末（タブレットなど）に予め搭載されている機能（無線通信機能、有線通信機能など）を利用して、情報端末と情報の送受信をする構成であってもよい。
【００２２】
ここで、送信データとは、文字データ、画像データ、音声データ、動画データ、又は、その他電子的に送受信可能な情報である。また、共有データは、文字データ、画像データ、音声データ、動画データ、又は、その他電子的に送受信可能な情報である。
【００２３】
記憶手段１２は、双方向にデータ通信するために必要な情報を記憶する手段である。記憶手段１２は、本実施形態では、複数のグループにおいて各グループに対応するグループＩＤを予め記憶し、各グループに属する複数の情報端末の複数の端末ＩＤをグループＩＤに対応付けてそれぞれ記憶する。具体的には、記憶手段１２は、図２に示すように、グループＡ及びグループＢにおいて、グループＡに対応するグループＩＤ「ｇＡ」を記憶し、グループＢに対応するグループＩＤ「ｇＢ」を記憶する。また、記憶手段１２は、グループＡに属する複数の情報端末の複数の端末ＩＤ「ａ１」「ａ２」「ａ３」「ａ４」をグループＩＤ「ｇＡ」に対応付けて記憶し、グループＢに属する複数の情報端末の複数の端末ＩＤ「ｂ１」「ｂ２」「ｂ３」「ｂ４」をグループＩＤ「ｇＢ」に対応付けて記憶する。
【００２４】
記憶手段１２は、本実施形態では、グループＩＤに対応付けて、複数のグループにおいてそれぞれのグループにのみで共有する共有情報を予め記憶する。また、記憶手段１２は、端末ＩＤに対応付けて、送受信手段１１が受信した送信データを記憶する。更に、記憶手段１２は、データ生成手段１３が生成した共有データを記憶する。
【００２５】
記憶手段１２は、電子情報をデータベースとして記憶する公知の技術（ハードディスク、メモリなど）を用いることができる。なお、記憶手段１２は、グループＩＤ、端末ＩＤ、送信データ及び共有データ以外の情報も記憶する構成であってもよい。また、 記憶手段１２は、例えばＨＤＤ（Hard Disk Drive）やＳＳＤ（Solid State Drive）等の不揮発性記憶装置を用いてもよい。
【００２６】
データ生成手段１３は、情報端末が送信した送信データに基づいて、共有データを生成手段である。データ生成手段１３は、本実施形態では、送受信手段１１が送信データを受信する際に、端末ＩＤに基づいて選定したグループＩＤを用いて送信データを送信したグループを特定するグループ特定部１３ａと、特定したグループで共有する共有データを生成する共有データ生成部１３ｂと、を備える。
【００２７】
データ生成手段１３（グループ特定部１３ａ及び共有データ生成部１３ｂ）は、例えばＣＰＵ及びメモリで構成される演算装置を用いることができる。なお、データ生成手段１３（グループ特定部１３ａ及び共有データ生成部１３ｂ）は、制御手段１０の演算装置を利用する構成であってもよい。
【００２８】
グループ特定部１３ａは、送受信手段１１が複数の情報端末から送信データを受信する際に、例えば図３に示すように複数の送信データ（Ａｂｃｄ、Ｅｆｇｈ、Ｉｊｋｌ、Ｍｎｏｐ）に対応する複数の端末ＩＤ「ａ１」「ａ２」「ａ３」「ａ４」に基づいて、記憶手段１２に記憶されている情報を用いて、グループＩＤ「ｇＡ」を選定する。これにより、グループ特定部１３ａは、選定したグループＩＤ「ｇＡ」を用いて、送信データ（Ａｂｃｄなど）を送信したグループＡを特定する。また、グループ特定部１３ａは、同様に、図３に示すように複数の送信データ（１２３、４５６、７８９、０１２）に対応する複数の端末ＩＤ「ｂ１」「ｂ２」「ｂ３」「ｂ４」に基づいて、記憶手段１２に記憶されている情報を用いて、グループＩＤ「ｇＢ」を選定する。これにより、グループ特定部１３ａは、選定したグループＩＤ「ｇＢ」を用いて、送信データ（１２３など）を送信したグループＢを特定する。
【００２９】
共有データ生成部１３ｂは、グループ特定部１３ａが特定したグループで共有する共有データを生成する。共有データ生成部１３ｂは、例えば図３に示すように複数の送信データ（Ａｂｃｄ、Ｅｆｇｈ、Ｉｊｋｌ、Ｍｎｏｐ、１２３、４５６、７８９、０１２）を用いて、図４に示すようにグループＡで共有する共有データ（Ａｂｃｄ  Ｅｆｇｈ  Ｉｊｋｌ  Ｍｎｏｐ）及びグループＢで共有する共有データ（１２３  ４５６  ７８９  ０１２）を生成する。また、共有データ生成部１３ｂは、記憶手段１２が予め記憶している共有情報を更に用いて、送信データに基づいて、文字データ、画像データ、音声データ又は動画データの共有データを生成する。共有データ生成部１３ｂは、例えば後述する図１１（ｂ）の画像データを生成する。
（２．双方向データ通信システムの動作）
【００３０】
図５を用いて、双方向データ通信システム１００（図１）が複数の情報端末を包含するグループ内で情報端末に双方向にデータ通信する動作（双方向データ通信方法）を説明する。ここで、図５は、本発明の実施形態に係る双方向データ通信システム１００の動作の例を説明するフローチャート図である。なお、図５に示す双方向データ通信システムの動作は一例であり、本発明は図５に示す双方向データ通信システムの動作に限定されるものではない。
【００３１】
図５に示すように、双方向データ通信システム１００は、ステップＳ５０１において、先ず、制御手段１０（図１）を用いて、データを共有する動作を開始する。制御手段１０は、例えば双方向データ通信システム１００の外部から入力された情報に応じて、データを共有する動作を開始することができる。その後、双方向データ通信システム１００は、ステップＳ５０２に進む。
【００３２】
次に、ステップＳ５０２において、双方向データ通信システム１００は、記憶手段１２（図１）を用いて、グループＩＤ、端末ＩＤ等を記憶する。記憶手段１２は、例えば図２に示すように、端末ＩＤをグループＩＤに対応付けて記憶する。なお、記憶手段１２は、グループＩＤ、端末ＩＤ等を予め記憶しているデータベースなどを利用する構成であってもよい。その後、双方向データ通信システム１００は、ステップＳ５０３に進む。
【００３３】
次いで、ステップＳ５０３において、双方向データ通信システム１００は、送受信手段１１（図１）を用いて、情報端末からの送信データを受信し、且つ、情報端末を特定する端末ＩＤを受信する。具体的には、送受信手段１１は、例えば図４に示す送信データを受信することができる。その後、双方向データ通信システム１００は、ステップＳ５０４に進む。
【００３４】
ステップＳ５０４において、双方向データ通信システム１００は、記憶手段１２を用いて、送信データ等を記憶する。ここで、記憶手段１２は、ステップＳ５０３で受信した送信データを端末ＩＤに対応付けて記憶する。その後、双方向データ通信システム１００は、ステップＳ５０５に進む。
【００３５】
ステップＳ５０５において、双方向データ通信システム１００は、データ生成手段１３（図１）を用いて、ステップＳ５０４で受信した送信データを送信したグループを特定する。具体的には、グループ特定部１３ａ（データ生成手段１３）は、ステップＳ５０４で送受信手段１１が複数の情報端末から送信データを受信する際に、例えば図３に示すように複数の送信データ（Ａｂｃｄ、Ｅｆｇｈ、Ｉｊｋｌ、Ｍｎｏｐ）に対応する複数の端末ＩＤ「ａ１」「ａ２」「ａ３」「ａ４」に基づいて、記憶手段１２に記憶されている情報を用いて、グループＩＤ「ｇＡ」を選定する。次に、グループ特定部１３ａは、選定したグループＩＤ「ｇＡ」を用いて、送信データ（Ａｂｃｄなど）を送信したグループＡを特定する。なお、グループＢの場合も同様のため、説明を省略する。その後、双方向データ通信システム１００は、ステップＳ５０６に進む。
【００３６】
ステップＳ５０６において、双方向データ通信システム１００は、データ生成手段１３を用いて、ステップＳ５０４で受信した送信データに基づいて、ステップＳ５０５で特定したグループで共有する共有データを生成する。具体的には、共有データ生成部１３ｂ（データ生成手段１３）は、例えば図３に示すように複数の送信データ（Ａｂｃｄ、Ｅｆｇｈ、Ｉｊｋｌ、Ｍｎｏｐ）を用いて、図４に示すようにグループＡで共有する共有データ（Ａｂｃｄ  Ｅｆｇｈ  Ｉｊｋｌ  Ｍｎｏｐ）を生成する。また、共有データ生成部１３ｂ（データ生成手段１３）は、例えば後述する図１１（ａ）に示すように複数の画像データ（ａ１ｉｍｇ、ａ２ｉｍｇ、ａ３ｉｍｇ、ａ４ｉｍｇ）を用いて、図１１（ｂ）に示すようにグループＡで共有する共有データ（Ｂグループ全体を示す撮像データ）を生成する。このとき、双方向データ通信システム１００は、記憶手段１２を用いて、生成した共有データを記憶してもよい。なお、グループＢで共有する共有データの生成も同様のため、説明を省略する。その後、双方向データ通信システム１００は、ステップＳ５０７に進む。
【００３７】
ステップＳ５０７において、双方向データ通信システム１００は、制御手段１０を用いて、ステップＳ５０６で生成した共有データを情報端末に送信する。具体的には、制御手段１０は、送受信手段１１を用いて、ステップＳ５０６で生成した共有データを送信する際に、ステップＳ５０５で特定したグループ内の複数の情報端末のみに共有データ（例えば図４、図１１（ｂ））を送信する。その後、双方向データ通信システム１００は、ステップＳ５０８に進む。
【００３８】
ステップＳ５０８において、双方向データ通信システム１００は、制御手段１０を用いて、データを共有する動作を繰り返すか否かを判断する。制御手段１０は、例えば双方向データ通信システム１００の外部から入力された情報に基づいて、共有する動作を繰り返すか否かを判断することができる。これにより、双方向データ通信システム１００は、所望の時間の間、データを共有することができる。その後、データを共有する動作を繰り返すと判断した場合には、双方向データ通信システム１００は、ステップＳ５０３に戻る。データを共有する動作を終了すると判断した場合には、双方向データ通信システム１００は、図中の「ＥＮＤ」に進み、共有する動作を終了する。
【００３９】
以上のとおり、本発明に係る双方向データ通信システム１００は、複数の情報端末を包含するグループ内で情報端末に双方向にデータ通信する場合に、グループ内で共有する共有データを複数の情報端末に送信することができる。また、本発明に係る双方向データ通信システム１００は、複数のグループにおいて各グループ内で双方向にデータ通信する場合に、特定のグループ内の複数の情報端末のみに共有データを送信することができる。
【実施例】
【００４０】
実施形態に係る双方向データ通信システム１００を含むスポーツ支援システム、研修支援システム及び研修システムの実施例を用いて、本発明を説明する。なお、本発明は、以後に説明するスポーツ支援システム、研修支援システム及び研修システム以外でも、双方向データ通信システム１００が受信した情報に基づいて生成した情報を共有するものであれば、いずれのものにも用いることができる。
（実施例１）
（スポーツ支援システムの構成）
【００４１】
図６を用いて、本発明の実施例に係るスポーツ支援システム１１０の構成を説明する。ここで、図６は、本実施例に係るスポーツ支援システム１１０の一例を説明する概略構成図である。
【００４２】
図６に示すように、本実施例に係るスポーツ支援システム１１０は、実施形態に係る双方向データ通信システム１００と、情報端末が送信した送信データに基づいて勝敗を判定する第２の制御手段２０とを含む。本実施例に係るスポーツ支援システム１１０は、例えば図７に示すようにフィールド内で、Ａグループを構成する複数のスポーツ実施者が携帯する情報端末ａ１、ａ２、ａ３及びａ４と、Ｂグループを構成する複数のスポーツ実施者が携帯する情報端末ｂ１、ｂ２、ｂ３及びｂ４とにおいて、Ａグループ内のみ及びＢグループ内のみで情報を共有するスポーツを支援する。
【００４３】
ここで、図７に示すフィールドに配置した障害は、可動式であってもよい。これにより、様々な形状のフィールドを設置することができる。また、複数のレイアウトでのプレーが可能となる。
【００４４】
なお、以後の説明では、前述の実施形態に係る双方向データ通信システム１００と異なる部分を主に説明する。
【００４５】
第２の制御手段２０は、グループの勝敗を判定する手段である。第２の制御手段２０は、本実施例では、送信データが所定のデータであるか否かを判断する。これにより、第２の制御手段２０は、送信データが所定のデータである場合に、送信データを送信した情報端末の端末ＩＤに対応するグループＩＤに基づいて、情報端末の属するグループの勝敗を判定する。第２の制御手段２０は、所定のデータとして、例えば送信データが図７に示す目標物Ａに関するデータであるときに、グループＢが勝利したと判断することができる。第２の制御手段２０は、所定のデータとして、例えば送信データが図７に示す目標物Ｂに関するデータであるときに、グループＡが勝利したと判断することができる。
（スポーツ支援システムの動作）
【００４６】
図８を用いて、スポーツ支援システム１１０（図６）がスポーツを支援する動作を説明する。ここで、図８は、本発明の実施例に係るスポーツ支援システムの動作（スポーツ支援方法）の例を説明するフローチャート図である。なお、図８に示すスポーツ支援システムの動作は一例であり、本発明は図８に示すスポーツ支援システムの動作に限定されるものではない。
【００４７】
図８に示すように、スポーツ支援システム１１０は、ステップＳ８０１において、先ず、制御手段１０（図６）を用いて、スポーツを支援する動作を開始する。制御手段１０は、例えばスポーツ実施者又はスポーツ支援システム１１０外部から入力された情報に応じて、スポーツを支援する動作を開始することができる。その後、スポーツ支援システム１１０は、ステップＳ８０２に進む。
【００４８】
次に、ステップＳ８０２において、スポーツ支援システム１１０は、双方向データ通信システム１００の記憶手段１２（図６）を用いて、グループＩＤ、端末ＩＤ等を記憶する（開始ステップ）。なお、記憶手段１２が記憶する動作は、実施形態の双方向データ通信システム１００の動作（ステップＳ５０２）と同様のため、説明を省略する。その後、スポーツ支援システム１１０は、ステップＳ８０３に進む。
【００４９】
次いで、ステップＳ８０３において、スポーツ支援システム１１０は、双方向データ通信システム１００の送受信手段１１（図６）を用いて、情報端末から送信データを受信し、且つ、情報端末を特定する端末ＩＤを受信する（受信ステップ）。本実施例では、送受信手段１１は、スポーツ実施者が情報端末を用いて送信する送信データを受信する。なお、送受信手段１１が受信する動作は、実施形態の双方向データ通信システム１００の動作（ステップＳ５０３）と同様のため、説明を省略する。その後、スポーツ支援システム１１０は、ステップＳ８０４に進む。
【００５０】
ステップＳ８０４において、スポーツ支援システム１１０は、記憶手段１２を用いて、送信データ等を記憶する（記憶ステップ）。本実施例では、記憶手段１２は、ステップＳ８０３で受信した送信データを端末ＩＤに対応付けて記憶する。なお、記憶手段１２が記憶する動作は、実施形態の双方向データ通信システム１００の動作（ステップＳ５０４）と同様のため、説明を省略する。その後、スポーツ支援システム１１０は、ステップＳ８０５に進む。
【００５１】
ステップＳ８０５において、スポーツ支援システム１１０は、双方向データ通信システム１００のデータ生成手段１３（図６）を用いて、ステップＳ８０４で受信した送信データを送信したグループを特定する。本実施例では、グループ特定部１３ａ（データ生成手段１３）は、ステップＳ８０４で送受信手段１１が複数の情報端末（複数のスポーツ実施者）から送信データを受信する際に、複数の情報端末（複数のスポーツ実施者）の端末ＩＤに基づいて、記憶手段１２に記憶されている情報を用いて、グループＩＤを選定する。次に、グループ特定部１３ａは、選定したグループＩＤを用いて、送信データを送信したグループを特定する。なお、グループ特定部１３ａが特定する動作は、実施形態の双方向データ通信システム１００の動作（ステップＳ５０５）と同様のため、説明を省略する。その後、スポーツ支援システム１１０は、ステップＳ８０６に進む。
【００５２】
ステップＳ８０６において、スポーツ支援システム１１０は、データ生成手段１３を用いて、ステップＳ８０４で受信した送信データに基づいて、ステップＳ８０５で特定したグループで共有する共有データを生成する（生成ステップ）。本実施例では、共有データ生成部１３ｂ（データ生成手段１３）は、同一グループの複数の送信データを用いて、グループ内（同一グループの複数のスポーツ実施者）で共有する共有データを生成する。なお、共有データ生成部１３ｂが生成する動作は、実施形態の双方向データ通信システム１００の動作（ステップＳ５０６）と同様のため、説明を省略する。その後、スポーツ支援システム１１０は、ステップＳ８０７に進む。
【００５３】
ステップＳ８０７において、スポーツ支援システム１１０は、制御手段１０を用いて、ステップＳ８０６で生成した共有データを情報端末（同一グループの複数のスポーツ実施者）に送信する（共有ステップ）。ここで、スポーツ実施者が情報端末の表示手段を用いて、共有データ（例えば後述する図１１（ａ）、図１１（ｂ））を確認されるものであってもよい。なお、制御手段１０が共有データを送信（共有）する動作は、実施形態の双方向データ通信システム１００の動作（ステップＳ５０７）と同様のため、説明を省略する。その後、スポーツ支援システム１１０は、ステップＳ８０８に進む。
【００５４】
ステップＳ８０８において、スポーツ支援システム１１０は、第２の制御手段２０（図６）を用いて、ステップＳ８０３で情報端末が送信した送信データに基づいて、複数のグループにおいて各グループの得点を集計する（集計ステップ）。また、スポーツ支援システム１１０は、第２の制御手段２０を用いて、ステップＳ８０３で情報端末が送信した送信データが所定のデータであるか否かを判断し、送信データが所定のデータである場合に送信データを送信した情報端末の端末ＩＤに対応するグループＩＤに基づいて、情報端末の属するグループの勝敗を判定する（勝敗判定ステップ）。その後、スポーツ支援システム１１０は、ステップＳ８０９に進む。
【００５５】
ステップＳ８０９において、スポーツ支援システム１１０は、制御手段１０を用いて、スポーツを支援する動作を繰り返すか否かを判断する。具体的には、ステップＳ８０８で勝敗を判断した場合には、スポーツ支援システム１１０は、図中の「ＥＮＤ」に進み、スポーツを支援する動作を終了する。ステップＳ８０８で勝敗を判断しなかった場合には、スポーツ支援システム１１０は上記のステップＳ８０３からステップＳ８０８の動作を繰り返す。これにより、スポーツ支援システム１１０は、スポーツを実施中においては得点を集計し、スポーツを終了するときには勝敗を判定することができる。
【００５６】
以上のとおり、本発明の実施例に係るスポーツ支援システム１１０によれば、実施形態に係る双方向データ通信システム１００と同様の効果を得ることができる。また、本実施例に係るスポーツ支援システム１１０によれば、対戦型団体スポーツを通じて、チームワークや戦略を学ぶことができる。更に、本実施例に係るスポーツ支援システム１１０を研修に利用することによって、チームで学ぶ強い組織の条件体験型スポーツ研修を実施することができる。
（スポーツ支援方法のプログラム及び記録媒体）
【００５７】
本発明に係るスポーツ支援方法のプログラムＰｒ１は、前述の実施形態に係る複数の情報端末を包含するグループ内で前記情報端末に双方向にデータ通信する双方向データ通信システムと、前記情報端末が送信した送信データに基づいて勝敗を判定する第２の制御手段とを用いて、複数のグループにおいて各グループの得点を集計するスポーツ支援方法であって、前記双方向データ通信システムは、前記情報端末からの前記送信データを受信し、該情報端末に共有データを送信する送受信手段と、前記送受信手段が受信した前記送信データを記憶する記憶手段と、前記記憶手段が記憶した前記送信データに基づいて前記情報端末に送信する前記共有データを生成するデータ生成手段と、前記送受信手段を用いて前記データ生成手段が生成した前記共有データを前記情報端末に送信する制御手段とを有し、前記記憶手段を用いて、複数のグループにおいて各グループに対応するグループＩＤを記憶し、各グループに属する複数の前記情報端末の複数の前記端末ＩＤを前記グループＩＤに対応付けてそれぞれ記憶し、その後スポーツを開始する開始ステップと、前記送受信手段を用いて、前記情報端末から前記送信データを受信し、且つ、該情報端末を特定する端末ＩＤを受信する受信ステップと、前記記憶手段を用いて、前記受信ステップで受信した前記送信データを前記端末ＩＤに対応付けて記憶する記憶ステップと、前記データ生成手段を用いて、前記送信データを受信するときに前記端末ＩＤに基づいて前記グループＩＤを選定し、選定した前記グループＩＤに基づいて該送信データを送信した前記グループを特定し、特定した該グループで共有する前記共有データを生成する生成ステップと、前記制御手段を用いて、前記生成ステップで生成した前記共有データを送信する際に、前記データ生成手段が選定した前記グループＩＤに基づいて、前記データ生成手段が特定した該グループ内の複数の前記情報端末のみに該共有データを送信する共有ステップと、前記第２の制御手段を用いて、前記情報端末が送信した前記送信データに基づいて、複数のグループにおいて各グループの得点を集計する集計ステップと、前記第２の制御手段を用いて、前記送信データが所定のデータであるか否かを判断し、前記送信データが前記所定のデータである場合に該送信データを送信した前記情報端末の前記端末ＩＤに対応する前記グループＩＤに基づいて、該情報端末の属するグループの勝敗を判定する勝敗判定ステップと、を含む、ことを特徴とするスポーツ支援方法を実行する。
【００５８】
上記のプログラムＰｒ１によれば、本発明に係るスポーツ支援システム１１０（前述）と同等の効果が得られる。
【００５９】
また、本発明は、プログラムＰｒ１を記録したコンピュータによって読み取り可能な記録媒体Ｍｄ１としてもよい。記録媒体Ｍｄ１には、フレキシブルディスク、ＣＤ−ＲＯＭ、ＤＶＤ、メモリーカード、及び、ＨＤＤ（Hard Disk Drive）、ＳＳＤ（Solid State Drive）等の不揮発性記憶装置などのコンピュータ読み取り可能な媒体を利用することができる。更に、本発明は、プログラムＰｒ１をインターネット等のネットワークを介して送信することが可能な伝送可能媒体であってもよい。
（実施例２）
（研修支援システムが支援する研修について）
【００６０】
フィールドに点対象に配置された障害物によって、個々のプレーヤーは相手の位置を部分的にしか把握することができない研修を実施する。また、プレーヤー同士で情報を共有し、統合することで相手の全体配置を推測する研修を実施する。更に、相手の配置を推測したうえで次の打ち手を考え、相手も同様に対策を講じてくるため、それに対応する次の策を検討する研修を実施することができる。
【００６１】
実際のビジネスのシチュエーションにおいても、情報は限定的であり、複数の観点からの情報を集めて競合相手の戦略を把握する必要がある。また、相手の出方によって状況が変わる。
【００６２】
本研修では、このような実際のビジネス上重要な「自己と他者との情報を統合して俯瞰的な視野を持つ」という分析作業を繰り返し行う。これにより、戦略立案に必要な現状分析を学ぶことができる。
（研修支援システムの構成）
【００６３】
図９を用いて、本発明の実施例に係る研修支援システム１２０の構成を説明する。ここで、図９は、本実施例に係る研修支援システム１２０の例を説明する概略構成図である。
【００６４】
図９に示すように、本実施例に係る研修支援システム１２０は、実施形態に係る双方向データ通信システム１００と、情報端末が送信した送信データに基づいて勝敗を判定する第２の制御手段２０と、研修結果を評価する課題評価手段３０とを含む。本実施例に係る研修支援システム１２０は、例えば図７に示すように、フィールド内でＡグループを構成する複数の研修受講者（スポーツ実施者）がそれぞれ携帯する情報端末ａ１、ａ２、ａ３及びａ４と、Ｂグループを構成する複数の研修受講者（スポーツ実施者）がそれぞれ携帯する情報端末ｂ１、ｂ２、ｂ３及びｂ４とを利用して、Ａグループ内のみ及びＢグループ内のみで情報を共有する研修を支援する。
【００６５】
なお、以後の説明では、前述の実施形態に係る双方向データ通信システム１００又はスポーツ支援システム１１０と異なる部分を主に説明する。
【００６６】
情報端末は、本実施例では、他の情報端末及び課題目標物を検出する検出手段３１と、共有データを表示する表示手段３２とを更に備える。情報端末は、検出手段３１が他の情報端末又は課題目標物を検出したときに検出結果を送受信手段１１に送信する。なお、表示手段３２は、情報端末（タブレットなど）に予め搭載されている機能（液晶ディスプレイ、有機ＥＬ、タッチパネルなど）を利用する構成であってもよい。
【００６７】
図１０を用いて、検出手段３１の例を説明する。検出手段３１は、図１０（ａ）に示すようにメガネ型携帯端末、コンタクトレンズ型携帯端末及びその他視野を撮像する端末を用いることができる。また、検出手段３１は、図１０（ｂ）に示すように、射撃型の携帯端末（ＢＢ弾、レーザー光線、発信側と受信側から成り立つ電子的な手法など）を用いてもよい。なお、図１０に示す検出手段３１は一例であり、本発明に用いることができる検出手段は図１０に示す検出手段３１に限定されるものではない。
【００６８】
図１１を用いて、表示手段３２の表示結果の例を説明する。表示手段３２は、図１１（ａ）に示すように、例えばＡグループを構成する複数の研修受講者（スポーツ実施者）がそれぞれ検出した画像データ（ａ１ｉｍｇ、ａ２ｉｍｇ、ａ３ｉｍｇ及びａ４ｉｍｇ）を表示する。また、表示手段３２は、図１１（ｂ）に示すように、例えばＡグループを構成する複数の研修受講者がそれぞれ検出した画像データ（ａ１ｉｍｇ、ａ２ｉｍｇ、ａ３ｉｍｇ及びａ４ｉｍｇ）を合成した画像データ（Ｂグループ全体を示す撮像データ）を表示してもよい。なお、図１１に示す表示手段３２は一例であり、本発明に用いることができる表示手段は図１１に示す表示手段３２に限定されるものではない。
【００６９】
制御手段１０は、本実施例では、検出手段３１の検出結果として他の情報端末を検出した結果を送受信手段１１が受信したときに、共有データを他の情報端末に送信することを停止する。これにより、本実施例に係る研修支援システム１２０は、検出された他の情報端末（研修受講者）を一時的にグループから除外することができる。また、制御手段１０は、検出手段３１の検出結果として課題目標物を検出した結果（例えば後述する図１３）を送受信手段１１が受信したときに、課題目標物を検出した結果を課題評価手段３０に送信する。
【００７０】
課題評価手段３０は、課題の達成を評価する手段である。課題評価手段３０は、送受信手段１１から課題目標物を検出した結果を受信したときに、課題目標物を検出した情報端末の端末ＩＤに対応するグループＩＤに基づいて、課題目標物を検出した情報端末（研修受講者）の属するグループが課題を達成したと評価することができる。
（研修支援システムの動作）
【００７１】
図１２を用いて、研修支援システム１２０（図９）が研修を支援する動作を説明する。ここで、図１２は、本発明の実施例に係る研修支援システムの動作（研修支援方法）の例を説明するフローチャート図である。なお、図１２に示す研修支援システムの動作は一例であり、本発明は図１２に示す研修支援システムの動作に限定されるものではない。
【００７２】
図１２に示すように、研修支援システム１２０は、ステップＳ１２０１において、先ず、制御手段１０（図９）を用いて、研修を支援する動作を開始する。制御手段１０は、例えば研修受講者又は研修支援システム１２０外部から入力された情報に応じて、研修を支援する動作を開始することができる。その後、研修支援システム１２０は、ステップＳ１２０２に進む。
【００７３】
次に、ステップＳ１２０２において、研修支援システム１２０は、双方向データ通信システム１００の動作（図３のステップＳ５０２乃至ステップＳ５０８）を実施する（開始ステップ）。なお、ステップＳ１２０２は、実施形態の双方向データ通信システム１００の動作（図３のステップＳ５０２乃至ステップＳ５０８）と同様のため、説明を省略する。その後、研修支援システム１２０は、ステップＳ１２０３に進む。
【００７４】
次いで、ステップＳ１２０３において、研修支援システム１２０は、本実施例では、検出手段３１を用いて他の情報端末又は課題目標物を検出したときに、送受信手段１１を用いて検出結果を受信する（検出結果受信ステップ）。その後、研修支援システム１２０は、ステップＳ１２０４に進む。
【００７５】
ここで、課題目標物とは、例えば図１３に示すように、星形の図形（図１３（ａ））、予め設定したアルファベット文字（図１３（ｂ））又はその他検出手段３１が検出可能なものとすることができる。また、検出手段３１は、例えば図１３（ｃ）および（ｄ）に示すように、画像に含まれる課題目標物又は研修受講者（スポーツ実施者）を自動で認識するものであってもよい。
【００７６】
ステップＳ１２０４において、研修支援システム１２０は、ステップＳ１２０３（検出結果受信ステップ）で他の情報端末を検出した結果を受信したときに、制御手段１０を用いて共有データを他の情報端末に送信することを停止し（送信停止ステップ）、その後、ステップＳ１２０５に進む。研修支援システム１２０は、ステップＳ１２０３（検出結果受信ステップ）で他の情報端末を検出した結果を受信していない場合には、研修支援システム１２０は、ステップＳ１２０５に進む。
【００７７】
ステップＳ１２０５において、研修支援システム１２０は、ステップＳ１２０３（検出結果受信ステップ）で課題目標物を検出した結果を受信したときに、制御手段１０を用いて課題目標物を検出した結果を課題評価手段３０に送信し（課題送信ステップ）、その後、ステップＳ１２０６に進む。研修支援システム１２０は、ステップＳ１２０３（検出結果受信ステップ）で課題目標物を検出した結果を受信していない場合には、ステップＳ１２０６に進む。
【００７８】
ステップＳ１２０６において、研修支援システム１２０は、第２の制御手段２０（図９）を用いて、ステップＳ１２０２で情報端末が送信した送信データに基づいて、複数のグループにおいて各グループの得点を集計する（集計ステップ）。また、研修支援システム１２０は、ステップＳ１２０５（課題送信ステップ）で課題評価手段３０が課題目標物を検出した結果を受信したときには、ステップＳ１２０３（検出結果受信ステップ）で課題目標物を検出した情報端末の端末ＩＤに対応するグループＩＤに基づいて、課題目標物を検出した情報端末の属するグループが課題を達成したと評価することができる（研修評価ステップ）。その後、研修支援システム１２０は、ステップＳ１２０７に進む。
【００７９】
ステップＳ１２０７において、研修支援システム１２０は、制御手段１０を用いて、研修を支援する動作を繰り返すか否かを判断する。具体的には、ステップＳ１２０６で課題を達成したと評価した場合には、研修支援システム１２０は、図中の「ＥＮＤ」に進み、研修を支援する動作を終了する。ステップＳ１２０６で課題を達成したと評価しなかった場合には、研修支援システム１２０は上記のステップＳ１２０２からステップＳ１２０６の動作を繰り返す。これにより、研修支援システム１２０は、研修を実施中の間には得点を集計し、研修を終了するときに課題の達成を評価することができる。
【００８０】
以上のとおり、本発明の実施例に係る研修支援システム１２０によれば、実施形態に係る双方向データ通信システム１００又はスポーツ支援システム１１０と同様の効果を得ることができる。また、本実施例に係る研修支援システム１２０によれば、障害物を導入したフィールドにおいて、攻撃手段として検出手段３１を用いた対戦型団体スポーツを通じて、現状分析→戦略の決定→戦術立案→実行→振り返り→改善というビジネスにおける基本スキルを学ぶことができる。更に、本実施例に係る研修支援システム１２０によれば、多様な受講者を対象に、研修の本来の目標であるチームワークや戦略を学ぶ場を与えることを可能にするため、男女差、年齢差の影響を低減してプレーすることができる。
【００８１】
これにより、本実施例に係る研修支援システム１２０によれば、個人の身体能力や経験の影響を排除した研修システムを実現することができる。また、本実施例に係る研修支援システム１２０によれば、両チーム公平な条件でプレーすることにより、勝敗における戦略やチームワークの要素の重要性を増した研修を実施することができる。
（研修支援方法のプログラム及び記録媒体）
【００８２】
本発明に係る研修支援方法のプログラムＰｒ２は、前述のスポーツ支援方法を用いて研修を実施し、実施中の検出結果に基づいて研修を評価する課題評価手段を用いて研修を支援する研修支援方法であって、前記情報端末は、他の情報端末及び課題目標物を検出する検出手段と前記共有データを表示する表示手段とを更に備え、前記検出手段を用いて前記他の情報端末又は前記課題目標物を検出したときに、前記送受信手段を用いて検出結果を受信する検出結果受信ステップと、前記検出結果受信ステップで前記他の情報端末を検出した結果を受信したときに、前記制御手段を用いて前記共有データを該他の情報端末に送信することを停止する送信停止ステップと、前記検出結果受信ステップで前記課題目標物を検出した結果を受信したときに、前記課題目標物を検出した結果を前記課題評価手段に送信する課題送信ステップと、前記課題送信ステップで前記課題評価手段が前記課題目標物を検出した結果を受信したときに、前記検出結果受信ステップで前記課題目標物を検出した前記情報端末の前記端末ＩＤに対応する前記グループＩＤに基づいて、該課題目標物を検出した該情報端末の属するグループが課題を達成したと評価する研修評価ステップと、を含む、ことを特徴とする研修支援方法を実行する。
【００８３】
上記のプログラムＰｒ２によれば、本発明に係る研修支援システム１２０（前述）と同等の効果が得られる。
【００８４】
また、本発明は、プログラムＰｒ２を記録したコンピュータによって読み取り可能な記録媒体Ｍｄ２としてもよい。記録媒体Ｍｄ２には、フレキシブルディスク、ＣＤ−ＲＯＭ、ＤＶＤ、メモリーカード、及び、ＨＤＤ（Hard Disk Drive）、ＳＳＤ（Solid State Drive）等の不揮発性記憶装置などのコンピュータ読み取り可能な媒体を利用することができる。更に、本発明は、プログラムＰｒ２をインターネット等のネットワークを介して送信することが可能な伝送可能媒体であってもよい。
（実施例３）
（研修システムの構成）
【００８５】
図１４を用いて、本発明の実施例に係る研修システム１３０の構成を説明する。ここで、図１４は、本実施例に係る研修システム１３０の例を説明する概略構成図である。
【００８６】
図１４に示すように、本実施例に係る研修システム１３０は、実施例２に係る研修支援システム１２０を含む。
【００８７】
なお、以後の説明では、実施例２に係る研修支援システム１２０と異なる部分を主に説明する。
【００８８】
制御手段１０は、研修カリキュラムの計画として、まず戦略を決定し、決定した戦略に基づいて戦術を立案する。制御手段１０は、例えば図１５に示すように、送受信手段１１が受信した送信データに基づいて現状分析し、現状分析した結果を用いて戦略を策定し、策定した戦略に基づいて戦術を策定する。
【００８９】
また、データ生成手段１３は、研修カリキュラムの計画として、制御手段１０が策定した戦術及び／又は検出手段３１が検出した検出結果を更に用いて、共有データを更新する。
【００９０】
更に、制御手段１０は、研修カリキュラムの実行として、例えば図１５に示すように、データ生成手段１３が更新した共有データ（攻撃、防御、情報収集、情報共有、現状分析、指示など）を情報端末（研修受講者）に更に送信する。このとき、共有データを送信された情報端末を携帯する研修受講者は、更新した共有データに従って、研修を実行する。
【００９１】
その後、研修受講者は、研修カリキュラムの改善として、例えば図１５に示すように、結果を分析し、改善策を検討し、情報端末を用いて検討結果（情報共有、結果分析、改善検討、指示など）を送受信手段１１に送信する。なお、研修受講者は、情報端末（タブレットなど）に予め搭載されている機能（タッチパネル、キーボード、マウスなど）を利用して、検討結果を送受信手段１１に送信してもよい。
【００９２】
これにより、研修システム１３０は、短時間（例えば３０分程度）で研修カリキュラムの計画・実行・改善を繰り返すことができる。すなわち、研修受講者が短時間で研修カリキュラムの計画・実行・改善を繰り返すことができ、研修の効果を高めることができる。
【００９３】
本実施例に係る課題評価手段３０は、少なくとも制御手段１０が立案した戦術及び検出手段３１が検出した検出結果に基づいて、研修結果を評価する。課題評価手段３０は、例えば記憶手段１２が予め記憶している評価ルール、採点ルールなどを更に用いて、研修結果を評価してもよい。
（研修システムの動作）
【００９４】
図１６を用いて、研修システム１３０（図１４）が研修を実行する動作を説明する。ここで、図１６は、本発明の実施例に係る研修システムの動作（研修方法）の例を説明するフローチャート図である。なお、図１６に示す研修システムの動作は一例であり、本発明は図１６に示す研修システムの動作に限定されるものではない。
【００９５】
図１６に示すように、研修システム１３０は、ステップＳ１６０１において、先ず、制御手段１０（図１４）を用いて、研修を実行する動作を開始する。制御手段１０は、例えば研修受講者又は研修システム１３０外部から入力された情報に応じて、研修を実行する動作を開始することができる。その後、研修システム１３０は、ステップＳ１６０２に進む。
【００９６】
次に、ステップＳ１６０２において、研修システム１３０は、制御手段１０を用いて、戦略を決定し、決定した戦略に基づいて戦術を立案する（研修開始ステップ）。また、研修システム１３０は、双方向データ通信システム１００の動作（図３のステップＳ５０２乃至ステップＳ５０８）を実施する。これにより、研修システム１３０は、戦略及び／又は戦術を研修受講者に共有させる。その後、研修システム１３０は、ステップＳ１６０３に進む。
【００９７】
次いで、ステップＳ１６０３において、研修システム１３０は、検出手段３１を用いて他の情報端末又は課題目標物を検出したときに、送受信手段１１を用いて検出結果を受信する（検出結果受信ステップ）。その後、研修システム１３０は、ステップＳ１６０４に進む。
【００９８】
ステップＳ１６０４において、研修システム１３０は、データ生成手段１３を用いて、ステップＳ１６０２（研修開始ステップ）で立案した戦術及び／又はステップＳ１６０３（検出結果受信ステップ）で受信した検出結果を更に用いて、生成した共有データを更新する（生成ステップ）。その後、研修システム１３０は、ステップＳ１６０５に進む。
【００９９】
ステップＳ１６０５において、研修システム１３０は、送受信手段１１を用いて、ステップＳ１６０４で更新した共有データを情報端末に更に送信する（共有ステップ）。その後、研修システム１３０は、ステップＳ１６０６に進む。
【０１００】
ステップＳ１６０６において、研修システム１３０は、少なくともステップＳ１６０２（研修開始ステップ）で立案した戦術及びステップＳ１６０３（検出結果受信ステップ）で検出した検出結果に基づいて、研修結果を評価する（研修評価ステップ）。その後、研修システム１３０は、ステップＳ１６０７に進む。
【０１０１】
ステップＳ１６０７において、研修システム１３０は、制御手段１０を用いて、研修を継続するか否かを判断する。研修を修了すると判断した場合には、研修システム１３０は、図中の「ＥＮＤ」に進み、研修を修了する。研修を修了しないと判断した場合には、研修システム１３０は、上記のステップＳ１６０２からステップＳ１６０６の動作を繰り返す。これにより、研修システム１３０は、研修を実施中において、短時間（例えば３０分程度）で研修カリキュラムの計画・実行・改善を繰り返すことができる。
【０１０２】
以上のとおり、本発明の実施例に係る研修システム１３０によれば、実施形態に係る双方向データ通信システム１００、実施例に係るスポーツ支援システム１１０又は研修支援システム１２０と同様の効果を得ることができる。また、本実施例に係る研修システム１３０によれば、対戦の攻撃手段として検出手段を用いることで身体能力や経験の影響を大きく排除し、研修受講者の視界を制限する障害物を導入したフィールドを使用することで自己と他者との情報を統合して俯瞰的な視野を持つという分析作業を実施することができる。更に、本実施例に係る研修システム１３０によれば、対戦型団体スポーツを通じて、現状分析→戦略の決定→戦術立案→実行→振り返り→改善というビジネスにおける基本スキルを学ぶことができる。
（研修方法のプログラム及び記録媒体）
【０１０３】
本発明に係る研修方法のプログラムＰｒ３は、前述の研修支援方法のプログラムＰｒ２を含む研修方法であって、戦略を決定し、決定した前記戦略に基づいて戦術を立案する研修開始ステップを更に含み、前記生成ステップは、前記研修開始ステップで立案した前記戦術及び／又は前記検出結果受信ステップで受信した前記検出結果を更に用いて、生成した前記共有データを更新し、前記共有ステップは、前記生成ステップで更新した前記共有データを前記情報端末に更に送信し、前記研修評価ステップは、少なくとも前記研修開始ステップで立案した戦術及び前記検出手段で検出した検出結果に基づいて、研修結果を評価する、ことを特徴とする研修方法を実行する。
【０１０４】
上記のプログラムＰｒ３によれば、本発明に係る研修システム１３０（前述）と同等の効果が得られる。
【０１０５】
また、本発明は、プログラムＰｒ３を記録したコンピュータによって読み取り可能な記録媒体Ｍｄ３としてもよい。記録媒体Ｍｄ３には、フレキシブルディスク、ＣＤ−ＲＯＭ、ＤＶＤ、メモリーカード、及び、ＨＤＤ（Hard Disk Drive）、ＳＳＤ（Solid State Drive）等の不揮発性記憶装置などのコンピュータ読み取り可能な媒体を利用することができる。更に、本発明は、プログラムＰｒ３をインターネット等のネットワークを介して送信することが可能な伝送可能媒体であってもよい。
【０１０６】
以上のとおり、本発明に係る実施形態及び実施例について説明したが、本発明は上記の実施形態及び実施例に限定されるものではない。すなわち、本発明は、特許請求の範囲に記載の内容に基づいて、様々に変形、変更又はその他任意に改変され得る。
【符号の説明】
【０１０７】
１００  ：  双方向データ通信システム
１１０  ：  スポーツ支援システム
１２０  ：  研修支援システム
１３０  ：  研修システム
１０  ：  制御手段
１１  ：  送受信手段
１２  ：  記憶手段
１３  ：  データ生成手段
２０  ：  第２の制御手段
３０  ：  課題評価手段
３１  ：  検出手段
３２  ：  表示手段
Ｐｒ１，Ｐｒ２，Ｐｒ３  ：  プログラム
Ｍｄ１，Ｍｄ２，Ｍｄ３  ：  記録媒体
【図１】
2016024745.tif 000003
【図２】
2016024745.tif 000004
【図３】
2016024745.tif 000005
【図４】
2016024745.tif 000006
【図５】
2016024745.tif 000007
【図６】
2016024745.tif 000008
【図７】
2016024745.tif 000009
【図８】
2016024745.tif 000010
【図９】
2016024745.tif 000011
【図１０】
2016024745.tif 000012
【図１１】
2016024745.tif 000013
【図１２】
2016024745.tif 000014
【図１３】
2016024745.tif 000015
【図１４】
2016024745.tif 000016
【図１５】
2016024745.tif 000017
【図１６】
2016024745.tif 000018